(57)【特許請求の範囲】
【請求項１】
安全帯の胴ベルト（１）を通す角筒状のベルト通し（１５）を有するホルダ（３）と、繰出し口（５）から帯状ロープ（６）を繰り出す巻取り器（４）とを有し、その巻取り器（４）を、前記ホルダ（３）に設けた支軸（２０ａ）を中心として回動可能に吊り下げ、
前記支軸（２０ａ）と巻取り器（４）の間に前記支軸（２０ａ）と直角な第２支軸（２３）を組み込み、その第２支軸（２３）を中心に前記巻取り器（４）を回動可能とし、
前記支軸（２０ａ）と巻取り器（４）の間に、前記支軸（２０ａ）と前記第２支軸（２３）のいずれに対しても直角な第３支軸（２４）を組み込み、その第３支軸（２４）を中心に前記巻取り器（４）を回動可能とし、
前記帯状ロープ（６）を繰り出す方向に応じて前記巻取り器（４）が回動し、
前記支軸（２０ａ）とベルト通し（１５）の間に作用する引張方向の衝撃荷重を吸収するように前記支軸（２０ａ）を構成する吊り環（２０）に一端が固定され、他端が前記ベルト通し（１５）の外周に巻いて固定されたショックアブソーバ（２６）を、巻取り器（４）の下側に対向する位置にショックアブソーバ（２６）を折り畳んだ状態で収容する収容部（２９）を有する前記ホルダ（３）に内蔵した巻取りユニット。
【請求項２】
前記ホルダ（３）のベルト通し（１５）に、胴ベルト（１）の余長部（１ａ）を通す挿通スペースを設けた請求項１に記載の巻取りユニット。
【発明の詳細な説明】
【技術分野】
【０００１】
この発明は、高所作業者の墜落を防止する安全帯用の巻取りユニットに関する。
【背景技術】
【０００２】
建設工事や土木工事で高所作業を行なう場合、作業者の墜落を防止するために安全帯が使用される。安全帯は、一般に、作業者の腰部に巻く胴ベルトと、胴ベルトに接続されたロープとを有し、そのロープの先端に取り付けられたフックを構造物に掛けて用いる。
【０００３】
このような安全帯として、図７に示すように、胴ベルト５１に巻取り器５２を装着し、その巻取り器５２から帯状ロープ５３を繰り出すようにしたものが一般に用いられている。この安全帯は、作業者が落下したときに、巻取り器５２からの帯状ロープ５３の繰り出しをロックすることにより、作業者の落下距離を最小限に抑えることが可能となっている。
【０００４】
ところで、この安全帯は、巻取り器５２に形成されたベルト通し部に胴ベルト５１を通し、その胴ベルト５１を腰に巻いて着用され、このとき、巻取り器５２は、帯状ロープ５３の繰出し口５４が作業者の前方に開口した状態となる。その状態で、帯状ロープ５３の先端のフック５５を、作業者の前方以外の方向にある構造物に掛けると、帯状ロープ５３を繰り出す方向と、繰出し口５４の開口方向とが相違するので、帯状ロープ５３がねじれやすくなるという問題があった。帯状ロープ５３にねじれが生じると、そのねじれた部分が繰出し口５４の縁と強く接触して摩耗する。
【０００５】
そこで、この帯状ロープ５３のねじれによる摩耗を緩和するため、帯状ロープの繰出し口の内面をラッパ状に形成した巻取り器が提案されている（特許文献１）。この巻取り器は、帯状ロープを引き出したときに、帯状ロープがねじれても、繰出し口のラッパ状の内面に沿って緩やかにねじれるので、そのねじれた部分が繰出し口の縁と強く接触しにくい。
【０００６】
しかし、この繰出し口の構造を採用しても、帯状ロープのねじれが大きいときは、そのねじれた部分が繰出し口の縁と強く接触して摩耗するほか、帯状ロープと巻取り軸の間のずれによって、帯状ロープの巻取りと引出しが円滑に行えなくなる恐れがあった。
【０００７】
また、巻取り器で巻き取られる帯状ロープは、巻き取りやすいように厚さが薄く幅の狭い織ロープが使用されることが多く、その強度を確保するため、織ロープの縦糸には、アラミド繊維などの高強度繊維が用いられる。しかし、高強度繊維は伸縮性に乏しいので、高強度繊維を縦糸に用いた織ロープで作業者が落下したときの荷重を受け止めると、大きな衝撃が作業者に加わる。この衝撃を緩和するため、一般に、巻取り器を用いた安全帯にはショックアブソーバが装備される。
【０００８】
このショックアブソーバを装備する場合、図７に示すように、ショックアブソーバ５６と巻取り器５２とを胴ベルト５１の長手方向に並べて配置すると、工具ケース５７（工具袋や工具差しなど）を胴ベルト５１に吊るしたときに、工具ケース５７の位置が背中側にくるので、工具ケース５７から工具を取り出しにくくなる。そこで、工具ケース５７のスペースを胴ベルト５１に確保するため、帯状ロープ５３のフック５５側の端部にショックアブソーバ５６を組み込んだものもあるが、このようにすると、フック５５を回し掛けしたときに、ショックアブソーバ５６が帯状ロープ５３とともに構造物に巻かれた状態となり、その状態で作業者が落下しても、ショックアブソーバ５６が作動しない恐れがある。また、フック５５を直接掛けした状態で、作業者が体のバランスを崩して帯状ロープ５３をつかんだときにショックアブソーバ５６が誤って作動する恐れもあった。
【特許文献１】登録実用新案第３０３７０３５号公報
【発明の開示】
【発明が解決しようとする課題】
【０００９】
この発明が解決しようとする課題は、巻取り器から繰り出される帯状ロープのねじれを防止し、さらに、ショックアブソーバを装備する場合においては、工具ケースを吊るスペースを胴ベルトに確保することである。
【課題を解決するための手段】
【００１０】
上記の課題を解決するため、安全帯の胴ベルトを通すベルト通しを有するホルダと、繰出し口から帯状ロープを繰り出す巻取り器とを有し、その巻取り器を、前記ホルダに設けた支軸を中心として回動可能に吊り下げた巻取りユニットを提供する。
【００１１】
この巻取りユニットは、前記支軸と巻取り器の間に前記支軸と直角な第２支軸を組み込み、その第２支軸を中心に前記巻取り器を回動可能とすると、巻取り器の回動の自由度を高めることができ、さらに、前記支軸と巻取り器の間に、前記支軸と前記第２支軸のいずれに対しても直角な第３支軸を組み込み、その第３支軸を中心に前記巻取り器を回動可能とすると、巻取り器の回動の自由度をより高めることができる。
【００１２】
また、上記巻取りユニットは、前記支軸と前記ベルト通しの間に作用する引張方向の衝撃荷重を吸収するショックアブソーバを設ける場合、そのショックアブソーバは、前記ホルダに内蔵することができる。
【００１３】
また、前記ホルダのベルト通しには、胴ベルトの余長部を通す挿通スペースを設けることができる。
【発明の効果】
【００１４】
この発明の巻取りユニットは、帯状ロープを繰り出す方向に応じて巻取り器が回動し、その回動によって、帯状ロープを繰り出す方向と帯状ロープの繰出し口の開口方向の間のずれを吸収するので、帯状ロープがねじれにくい。
【００１５】
さらに、前記支軸と巻取り器の間に前記支軸と直角な第２支軸を組み込み、その第２支軸を中心に前記巻取り器を回動可能としたものは、帯状ロープのねじれが、第２支軸を中心とした巻取り器の回動によっても吸収されるので、帯状ロープのねじれをより効果的に防止することができる。
【００１６】
さらに、前記支軸と巻取り器の間に、前記支軸と前記第２支軸のいずれとも直角な第３支軸を組み込み、その第３支軸を中心に前記巻取り器を回動可能としたものは、帯状ロープをいずれの方向に繰り出しても、その方向に巻取り器が追従するので、帯状ロープのねじれをきわめて効果的に防止することができる。
【００１７】
また、前記支軸と前記ベルト通しの間に作用する引張り方向の衝撃を吸収するショックアブソーバを設ける場合、そのショックアブソーバを前記ホルダに内蔵すると、ホルダとショックアブソーバとを胴ベルトの長手方向に並べて配置した場合に比べて胴ベルトのスペースが大きくなり、工具ケースを吊るスペースを胴ベルトに確保することが可能となる。
【発明を実施するための最良の形態】
【００１８】
図１に、この発明の実施形態の巻取りユニットを装備した安全帯を示す。この安全帯は、作業者の腰部に巻く胴ベルト１に、この発明の実施形態の巻取りユニット２を装着したものであり、巻取りユニット２が腰部の横にくるようにして着用される。
【００１９】
巻取りユニット２は、胴ベルト１に取り付けるホルダ３と、そのホルダ３に吊り下げられた巻取り器４とからなる。巻取り器４は、繰出し口５から帯状ロープ６を繰り出し、その帯状ロープ６の先端にはフック７が取り付けられている。胴ベルト１には、フック７を収納する収納袋８が吊り下げられている。
【００２０】
巻取り器４は、図２に示すように、帯状ロープ６の巻取り軸９と一体に回転するラチェットホイール１０と、巻取りケース１１に固定したピン１２を中心に揺動可能に支持されたラチェット爪１３とが組み込まれており、ラチェットホイール１０とラチェット爪１３の係合により、帯状ロープ６を巻き取る方向の巻取り軸９の回転を禁止し、かつ、帯状ロープ６を繰り出す方向の巻取り軸９の回転を許容するようになっている。また、巻取りケース１１には、ラチェット爪１３を揺動操作する巻取りボタン１４が設けられており、その巻取りボタン１４の操作によって帯状ロープ６を巻き取ることが可能となっている。
【００２１】
また、巻取り器４には、帯状ロープ６を繰り出す速度が一定速度を超えたときに帯状ロープ６の繰り出しをロックするロック機構（図示せず）が組み込まれている。ロック機構としては、例えば、巻取り軸９と一体に回転する第２ラチェットホイールと、その第２ラチェットホイールの外周の歯が後端に衝突して揺動するロック爪とを設け、第２ラチェットホイールの回転速度が一定速度を超えたときに、ロック爪の先端が第２ラチェットホイールに係合してその回転を止めるロック機構を採用することができる。
【００２２】
ホルダ３は、図４に示すように、胴ベルト１が挿通する角筒状のベルト通し１５と、ベルト通し１５を間に挟んで対向する表側カバー１６と裏側カバー１７とを有する。表側カバー１６と裏側カバー１７は、図３に示すように、ビス１８で結合されている。
【００２３】
ベルト通し１５は、図５に示すように、胴ベルト１を屈曲した状態に保持するベルトガイド１９を有し、そのベルトガイド１９と胴ベルト１の間の摩擦によって、胴ベルト１に対するベルト通し１５の位置を固定するようになっている。また、ベルトガイド１９には、胴ベルト１の余長部１ａを通す挿通スペースが設けられている。
【００２４】
表側カバー１６とベルト通し１５の間には、方形の吊り環２０が組み込まれている。表側カバー１６には、吊り環２０の直線部分２０ａを露出させる切欠き２１が設けられ、吊り環２０の直線部分２０ａには、図４に示すように、断面Ｕ状の吊り板２２が掛け下げられている。また、吊り板２２の対向部分には第２支軸２３が挿し通され、その第２支軸２３に、第３支軸２４が回動可能に吊り下げられ、さらに、その第３支軸２４の下端に巻取り器４が回動可能に接続されている。
【００２５】
ここで、吊り環２０の直線部分２０ａは巻取り器４を吊り下げる支軸を構成し、巻取り器４は、その支軸を中心として回動可能となっている。また、巻取り器４は、吊り環２０の直線部分２０ａと直角な第２支軸２３を中心としても回動可能であり、さらに、吊り環２０の直線部分２０ａと第２支軸２３のいずれに対しても直角な第３支軸２４を中心としても回動可能となっている。
【００２６】
また、図２に示すように、吊り環２０の直線部分２０ａには外部フック取付け環２５が接続されており、その外部フック取付け環２５に、外部の落下防止器具に接続されたフック（図示せず）を掛けることが可能となっている。
【００２７】
図４に示すように、吊り環２０とベルト通し１５は、ショックアブソーバ２６を介して連結されている。ショックアブソーバ２６は、重ね合わせて縫合された一対の緩衝帯２７，２７と、その各緩衝帯２７に接続された連結保持帯２８とからなり、連結保持帯２８の一端が吊り環２０に固定され、他端がベルト通し１５の外周に巻いて固定されている。
【００２８】
ショックアブソーバ２６は、ホルダ３の表側カバー１６と裏側カバー１７の間に内蔵されている。表側カバー１６は、巻取り器４の下側に対向する位置に収容部２９を有し、その収容部２９にショックアブソーバ２６を折り畳んだ状態で収容することにより、ホルダ３の厚みを低減している。
【００２９】
上述した構成の安全帯は、帯状ロープ６の先端のフック７を構造物に掛けて用いられ、その状態で作業者が落下すると、帯状ロープ６が作業者を支持して墜落を防止する。このとき、図６に示すようにホルダ３の表側カバー１６と裏側カバー１７が分離し、緩衝帯２７，２７の縫合糸が切断することによって、吊り環２０とベルト通し１５の間に作用する引張方向の衝撃荷重を吸収する。また、緩衝帯２７，２７が分離したときは、連結保持帯２８が吊り環２０とベルト通し１５の連結を保持する。
【００３０】
この巻取りユニット２を装着した胴ベルト１を腰に巻くと、巻取り器４は帯状ロープ６の繰出し口５が作業者の前方に開口した状態となる。その状態で、帯状ロープ６の先端のフック７を、作業者の前方以外の方向にある構造物に掛けると、帯状ロープ６を繰り出す方向と、繰出し口５の開口方向とが相違するが、このとき、帯状ロープ６を繰り出す方向に応じて巻取り器４が回動し、その回動によって、帯状ロープ６を繰り出す方向と帯状ロープ６の繰出し口５の開口方向の間のずれを吸収するので、帯状ロープ６がねじれにくい。
【００３１】
また、この巻取りユニット２は、作業者の前方の構造物にフック７を掛けた後に作業者が体の向きを変えたときにも、その作業者の移動に応じて巻取り器４が回動し、その回動によって、帯状ロープ６を繰り出す方向と帯状ロープ６の繰出し口５の開口方向の間のずれを吸収するので、帯状ロープ６がねじれにくい。
【００３２】
また、この巻取りユニット２は、ショックアブソーバ２６がホルダ３に内蔵されているので、ホルダ３とショックアブソーバ２６とを胴ベルト１の長手方向に並べて配置した場合に比べて胴ベルト１のスペースが大きく、図１に示すように、工具ケース３０を吊るスペースを胴ベルト１に確保することが可能となる。
【００３３】
また、この巻取りユニット２は、巻取り器４とホルダ３とが別部材なので、ホルダ３の形状を左右勝手違いとするだけで、腰部の左に配置するタイプの巻取りユニット２と、腰部の右に配置するタイプの巻取りユニット２とを変更することができ、巻取り器４は共通の形状のものを使用することができる。そのため、この巻取りユニット２は、在庫管理が容易である。
【００３４】
上記実施形態では、互いに直交する３軸（吊り環２０の直線部分２０ａと、第２支軸２３と、第３支軸２４）を中心に巻取り器４を回動可能とすることによって、帯状ロープ６をいずれの方向に繰り出してもその方向に巻取り器４が追従するようにしているが、巻取り器４は、互いに直交する２軸を中心に回動可能に吊り下げてもよく、いずれか１軸のみを中心に回動可能に吊り下げてもよい。このようにしても、その巻取り器４の回動の範囲内で帯状ロープ６のねじれを吸収することができる。
【図面の簡単な説明】
【００３５】
【図１】この発明の実施形態の巻取りユニットを装備した安全帯を示す正面図
【図２】図１の巻取りユニット近傍の拡大図
【図３】図２に示す巻取りユニットの側面図
【図４】図３に示す巻取りユニットの断面図
【図５】図４のV−V線に沿った断面図
【図６】図３に示す巻取りユニットの使用状態を示す図
【図７】従来の巻取りユニットを装備した安全帯を示す正面図
【符号の説明】
【００３６】
１        胴ベルト
１ａ      胴ベルトの余長部
２        巻取りユニット
３        ホルダ
４        巻取り器
５        繰出し口
６        帯状ロープ
１５      ベルト通し
２０ａ    吊り環の直線部分
２３      第２支軸
２４      第３支軸
２６      ショックアブソーバ
【図１】
0005030736.tif 000002
【図２】
0005030736.tif 000003
【図３】
0005030736.tif 000004
【図４】
0005030736.tif 000005
【図５】
0005030736.tif 000006
【図６】
0005030736.tif 000007
【図７】
0005030736.tif 000008